(57)【特許請求の範囲】
【請求項１】
喫煙品用ヒンジ式蓋付きパックであって、これは胴体と蓋とを含み、この蓋はパックの後壁に沿って胴体にヒンジ式に接続され、蓋と胴体の間で閉鎖線を形成し、この閉鎖線は、パックの後壁からパックの対向する側壁および前壁を横断して延び、閉鎖線は、後壁に対して第１の角度（「Ａ」、「Ｃ」）で後壁から離れて各側壁を横断して延びる第１の部分および後壁に対して第２の角度（「Ｂ」、「Ｄ」）で第１の部分からパックの前壁へと延びる第２の部分を有し、前記第１の角度（「Ａ」、「Ｃ」）がパックの後壁に対して少なくとも６０度であり、前記第２の角度（「Ｂ」、「Ｄ」）が前記第１の角度（「Ａ」、「Ｃ」）より小さいヒンジ式蓋付きパック。
【請求項２】
前記第１の角度（「Ａ」、「Ｃ」）がパックの後壁に対して９０度であることを特徴とする請求項１記載のヒンジ式蓋付きパック。
【請求項３】
前記第１の角度（「Ａ」、「Ｃ」）がパックの後壁に対して９０度超であることを特徴とする請求項１記載のヒンジ式蓋付きパック。
【請求項４】
前記閉鎖線が第３の部分を有し、この第３の部分は、第１の部分が第３および第２の部分の間に位置するように、そして第３の部分が後壁に対して第３の角度（「Ｅ」）で形成されるように後壁から離れて第１の部分の方へと延び、前記第３の角度（「Ｅ」）は、第２の部分の第２の角度（「Ｂ」、「Ｄ」）と同じ角度であることを特徴とする請求項１乃至３いずれか１項記載のヒンジ式蓋付きパック。
【請求項５】
前記閉鎖線の第１および第３の部分は、各側壁の幅の少なくとも半分に亘って延びることを特徴とする請求項４記載のヒンジ式蓋付きパック。
【請求項６】
前記第１の部分がパックの後壁から直接各側壁の幅の少なくとも半分に亘って延びることを特徴とする請求項１乃至３いずれか１項記載のヒンジ式蓋付きパック。
【請求項７】
前記蓋がタブが延びている側壁で形成され、これらタブは、蓋を開閉する際に胴体の側部パネルと係合することを特徴とする請求項１乃至６いずれか１項記載のヒンジ式蓋付きパック。
【請求項８】
請求項１乃至７いずれか１項記載のパックを形成するためのブランク。 
【発明の詳細な説明】
【技術分野】
【０００１】
本発明は、喫煙品用パックに関する。
【背景技術】
【０００２】
紙巻きタバコなどの喫煙品は、通常、パックに収容され、そのパックの全般的機能は、紙巻きタバコを収容し、機械的および環境的損傷から紙巻きタバコを保護することである。スライド可能なインサートまたはフレームを有するヒンジ式蓋付きパックおよびシェル式パックなど当業界において種々の紙巻きタバコパックの構成が知られている。ヒンジ式蓋付きパックは、喫煙品の束を保持するための空間を形成する胴体と蓋とを含む。蓋は、ヒンジ線に沿って胴体の後パネルに取り付けられ、開いたおよび閉じた位置の間を回転できるようになっている。閉じた位置において蓋の前壁下縁部が胴体の前パネルの上縁部と当接し、閉鎖線を形成する。閉鎖線は、通常パックの後壁から側壁を斜め下方に横切り、それからヒンジ線と平行なパックの前壁を横断して延びている。
【０００３】
ヒンジ式蓋付きパックには製造時および蓋を閉じる時に不安定になるという問題点があり、閉じる際の強度および剛性が増したパックを提供するためにヒンジ式蓋付きパックの構造を改良する必要がある。
【０００４】
またヒンジ式蓋付きパックには蓋がパックから僅かに開いた遊びの状態になりやすく、極端な場合には蓋が完全に開いてしまうという別の欠点もある。これにより収容されている製品から水分が失われたり、製品がパックから落ちてしまうというリスクもある。下記特許文献１は、胴体と摩擦係合する蓋の側壁から延在するタブを有するパックを提供することによってこの問題点を解決しようとしている。本発明は、この文献から知られているパックを改良し、さらにまたはこれとは別に強度および剛性が増したパックを提供することを目的としている。
【発明の概要】
【発明が解決しようとする課題】
【０００５】
本発明は、上述の問題点を克服または 実質的に軽減する、喫煙品を保持するためのパックを提供することを目的としている。
【課題を解決するための手段】
【０００６】
本発明では喫煙品用ヒンジ式蓋付きパックを提供し、これは胴体と蓋とを含み、この蓋はパックの後壁に沿って胴体にヒンジ式に接続され、蓋と胴体の間で閉鎖線を形成し、この閉鎖線は、パックの後壁からパックの対向する側壁および前壁を横断して延び、閉鎖線は、後壁に対して第１の角度で後壁から離れて各側壁を横断して延びる第１の部分および後壁に対して第２の角度で第１の部分からパックの前壁へと延びる第２の部分を有する。
【０００７】
パックの後壁に対する第１の角度は、９０度であることが好ましい。
【０００８】
１つの実施態様ではパックの後壁に対しての第１の角度は、少なくとも６０度である。
【０００９】
パックの後壁に対しての第１の角度は、９０度超であってもよい。
【００１０】
第２の角度は、第１の角度より小さいと都合がよい。
【００１１】
閉鎖線は、第３の部分で形成してもよく、この第３の部分は、第１の部分が第３および第２の部分の間に位置するようにそして第３の部分が後壁に対して第３の角度で形成されるように後壁から離れて第１の部分の方へと延びる。
【００１２】
第３の部分の第３の角度は、第２の部分の第２の角度と同じような角度であることが好ましい。
【００１３】
１つの実施態様では閉鎖線の第１および第３の部分は、各側壁の幅の少なくとも半分に亘って延びる。
【００１４】
別の実施態様では第１の部分は、パックの後壁から直接延びる。好ましくは第１の部分は、各側壁の幅の少なくとも半分に亘って延びる。
【００１５】
蓋は、タブが延びている側壁で形成してもよく、タブは、蓋を開閉する際に胴体の側部パネルと係合する。
【００１６】
本発明の別の態様では、上述の本発明のパックを形成するためのブランクも提供する。
【００１７】
本発明の実施態様を添付の図面を参照してあくまで例示を目的として以下に説明する。
【図面の簡単な説明】
【００１８】
【図１】喫煙品の束を保持するための本発明によるパックを示す。
【図２】図１のパック形成するためのブランクを示す。
【図３】図１のパックの側面図である。
【図４】パックの別の実施態様の側面図である。
【図５】パックの別の実施態様の側面図である。
【発明を実施するための形態】
【００１９】
図面を参照すると図１および３は、喫煙品の束を保持するための本発明によるパック１を示している。図２は、図１のパックを形成するためのブランク２０を示し、実線はブランク２０の切断線または外方の境界線を表し、破線は、折り曲げによって形成されるラインを表す。パック１は、閉鎖線８を形成する胴体２と蓋９とを含み、この閉鎖線は、以下の説明から明らかなように製造時および閉じた際の強度を増すように構成されている。
【００２０】
閉じた位置にあるパック１の一般的な構成について図１および３を参照して説明するが、いくつかの特徴は、これらの図からは見えないが、図２で特定されている。パック１の胴体２は、２つの対向する左および右側部パネル２１ａ、２１ｂ並びに底部パネル１０によって隔てられた対向する前および後パネル３、４によって形成されている。前パネル３および側部パネル２１ａ、２１ｂの接合部に形成された角７は、丸みを帯びてもよい。前パネル３および側部パネル２１ａ、２１ｂは、蓋９の対応する下縁１５に当接する上縁部５によって形成され、閉鎖線８を形成する。従って閉鎖線８は、パック１の後壁４、１４からパックの丸みを帯びた角７、対向する側壁１６ａ、１６ｂ、２１ａ、２１ｂおよび前壁３、１３に亘って延びている。胴体２の後パネル４は、ヒンジ線１１に沿って蓋９の後壁１４に接続されている。蓋９にはさらに蓋９の後壁１４、前壁１３並びに左および右側壁１６ａ、１６ｂの間を延びる上壁１２が設けられている。蓋９の前壁１３および側壁１６ａ、１６ｂは、パック１を閉じた際に胴体２の上縁部５と対になる下縁部１５によって形成される。
【００２１】
図３から判るように閉鎖線８は、後壁４、１４の角７から側壁１６ｂ、２１ｂの幅の少なくとも半分を横断して延びている第１の部分３０を有する。第１の部分３０は、パックの後壁に対して角度「Ａ」を有する。第１の部分３０は、パックの後壁から９０度の角度で延びるのが好ましいが、９０度未満の角度で延びてもよく、ただしその角度は、６０度以上であるべきである。これとは別に第１の角度「Ａ」は、上方に延びた９０度を超える角度であってもよい。また閉鎖線８は、第１の部分３０からパック１の前壁３、１３へと延び、パック１の後壁４、１４に対して第２の角度「Ｂ」を有する第２の部分３１によって形成されている。好ましくは第２の角度「Ｂ」は、第１の角度「Ａ」より小さい。当然のことながら閉鎖線は、上述したのと同じようにパック１の後壁４、１４のもう一方の角７および対向する側壁１６ａ、２１ａを横切って延びている。
【００２２】
上述したように後壁４、１４に対して角度が付いている閉鎖線８の第１の部分３０は、通常後方からパックの前壁まで側壁を横断して完全に延び、通常パックの後壁に対して約３０°の角度が付けられた斜めの閉鎖線を有する従来のパックに較べて、パック１の製造および蓋を閉じた状態にあるときに安定性を付与するという利点を有する。
【００２３】
図２に上述のパック１の胴体２および蓋９を含む長尺のブランク２０を示す。ブランク２０の胴体２は、前パネル３、底部パネル１０および後パネル４で形成されている。前パネル３は、ブランク２０を折り曲げた際に後パネル４から延びる側部フラップ２２ａ、２２ｂと重なる左および右側壁２１ａ、２１ｂで形成されている。図２に示す前壁３とその側壁２１ａ、２１ｂの間に位置するブランクの破線は、ブランクを折り曲げた際に形成される角が丸みを帯びることを表している。
【００２４】
ブランク２０の蓋９は、上述したような後壁１４、上壁１２および前壁１３をさらに含む。蓋９の上壁１２および後壁１４は、ブランク２０を組み立てたときに蓋９の前壁１３の側壁１６ａ、１６ｂに重ねられる側部フラップ１８で形成されている。蓋９の前壁１３は、さらに折り曲げ線１９に沿って下方前壁縁部１５から延びるフラップ１７で形成されている。フラップは内方に折れ曲がり、蓋９の前壁１３の内面に重なる。フラップ１７は、蓋９の前壁１３と共に２層を形成するので蓋に安定性と強度を与える。また蓋は、パックを閉じた際に側壁１６ａ、１６ｂから延びるタブ５０で形成されている。これらのタブ５０は、任意に設けられるものであり、タブ５０の機能については以下に詳しく説明する。
【００２５】
図４に示す別の実施態様ではパック４０は、図１および３を参照して説明した実施態様のような丸みを帯びた角を含んでいない。その代わり角４１は、パックの側壁４３ａ、４３ｂと９０°で接する後壁４２によって形成されている。従って閉鎖線４５の第１の部分４４は、パック４０の後壁４２から直接パック４０の側壁４３ａ、４３ｂの幅の少なくとも半分を横切ってパック４０の後壁４２に対して第１の角度「Ｃ」で延びている。閉鎖線の第２の部分４６は、第１の部分４４からパックの前壁４７へとパック４０の後壁４１に対して第２の角度「Ｄ」で延びている。図１および３を参照して説明した実施態様と同じように第２の角度「Ｄ」は、第１の角度「Ｃ」より小さいことが好ましく、第１の部分４４は、側壁４３ａ、４３ｂの幅の少なくとも半分に亘って延びている。
【００２６】
図５に示す別の実施態様ではパック５０は、図４に示すように角が直角に形成されているが、閉鎖線は、後壁５４から離れて第１の部分５１の方へと延びる第３の部分５３を含み、第１の部分５１が第２の部分５２と第３の部分５３の間に位置するようになっている。第３の部分５３は、パックの後壁５４に対して角度「Ｅ」が付けられている。角度「Ｅ」は、第１の部分５１の第１の角度「Ｃ」より小さいことが好ましい。さらに第３の角度「Ｅ」が第２の部分５２の第２の角度「Ｄ」より小さいことが想定される。
【００２７】
上述のパック１、４０、５０の実施態様は、蓋９、４７、５６の側壁１６ａ、１６ｂ、４８ａ、４８ｂ、５５ａ、５５ｂから延在するタブ５０で形成してもよい。タブ５０は、胴体２、４９、５８の側部パネル２１ａ、２１ｂ、４３ａ、４３ｂ、５７ａ、５７ｂの内面と係合し、これによりパック１、４０、５０の遊びおよび意図せずに開いてしまうことが少なくなる。図１および３に示したパック１および図２に示した対応するブランク２０にはタブが設けられており、次に説明するが、当然のことながら図４および５に示すパック４０、５０にも以下に説明するのと類似のタブおよび機能を設けてもよい。
【００２８】
第１の部分３０がパック１の後壁４、１４に対して角度が付けられている閉鎖線８を有するパック１には、パック１の後壁４、１４に対してはるかに小さい角度で延びる閉鎖線を有する従来のパックと比べて、大きな開口角度でタブ５０が胴体２の側部パネル２１ａ、２１ｂの内面と係合するという利点がある。従って蓋９の側壁１６ａ、１６ｂと共に閉鎖線の第１の部分３０を形成する胴体２の側部パネル２１ａ、２１ｂのセクションによって、パックを閉じる際に従来のパックよりもかなりタブ５０を位置合わせしやすくする。大きな開口角度で胴体２の側部パネル２１ａ、２１ｂと係合するタブ５０の効果は、パック１の側壁１６ａ、１６ｂ、２１ａ、２１ｂの幅の少なくとも半分を横切って延びる第１の部分３０によって得られる。というのは第１の部分３０がパック１の側壁１６ａ、１６ｂ、２１ａ、２１ｂを横断して遠くに延びるほど、蓋９を閉じる際にタブ５０が胴体２の側部パネル２１ａ、２１ｂの内面とすぐに係合するからである。しかしながら好ましい実施態様では第１の部分３０が、パック１の後壁４、１４に対して９０°の角度で側壁１６ａ、１６ｂ、２１ａ、２１ｂの全幅を横断して延びない。なぜなら全幅を横断して延びると蓋を閉じる際にタブ５０の邪魔になるからである。その代わり第２の部分３１は、第１の部分３０の角度「Ａ」より小さい角度で形成され、蓋９を閉じることができ、タブ５０が胴体２の側部パネル２１ａ、２１ｂの内面に隣接して位置する。
【００２９】
第１および第２の部分並びに第３の部分によって形成された段を有する閉鎖線には、角度「Ａ」、「Ｂ」、「Ｃ」、「Ｄ」および「Ｅ」を従来のパックの斜めの閉鎖線の角度ほど鋭角にならないように形成することができるという別の利点がある。これによりこれらの角度で形成されたポイントまたは角の鋭さを小さくし、これら接合部での板紙の損傷または剥離の可能性を減少させる。
【００３０】
上述のあらゆる実施態様は、フレームを含んでもよく、フレームはパックに挿入され、喫煙品をさらに保護する役割を果たす。
【００３１】
本発明の実施態様を示し、説明してきたが、上記説明は、好ましい実施態様の説明としてのみ見なすべきであり、添付の特許請求の範囲内に入る他の実施態様も本開示の一部を形成するものと考えるべきであることを当業者は、理解するはずである。
【先行技術文献】
【特許文献】
【００３２】
【特許文献１】国際出願公開第０８／０８７３７８号
【図１】
0005961616.tif 000002
【図２】
0005961616.tif 000003
【図３】
0005961616.tif 000004
【図４】
0005961616.tif 000005
【図５】
0005961616.tif 000006